(57)【要約】  【課題】エアーフィルター清掃機構が搭載された機器の置き方が変更されても、塵埃が外部に出て周囲を汚したりすることの無いエアーフィルター清掃機構を提供する。  【解決手段】エアーフィルター８に付着した塵埃１７を除去する除塵装置１９と、前記除塵装置１９を収納する除塵装置収納室２３とを設け、前記除塵装置１９により除塵された塵埃１７を保管する塵埃収納室２４を前記除塵装置収納室２３に隣接して設け、前記塵埃収納室２４に収納された塵埃１７が前記除塵装置収納室２３に戻るのを防止する戻り防止体２５を有するもので、戻り防止体２５により、塵埃収納室２４に収納された塵埃１７が、前記除塵装置収納室２３を介して外部に漏れることが無いので、エアーフィルター清掃機構３が搭載された電子機器の置き方が変更されても、塵埃１７が除塵装置収納室２３を経て外部に出て周囲を汚したりすることが無い。【選択図】図４
2011092874.tif 000002
【特許請求の範囲】
【請求項１】
エアーフィルターに付着した塵埃を除去する除塵装置と、前記除塵装置を収納する除塵装置収納室とを設け、前記除塵装置により除塵された塵埃を保管する塵埃収納室を前記除塵装置収納室に隣接して設け、前記塵埃収納室に保管された塵埃が前記除塵装置収納室に戻るのを防止する戻り防止体を有するエアーフィルター清掃機構。
【請求項２】
塵埃収納室を形成する壁の一部に戻り防止体を一体に形成した請求項１に記載のエアーフィルター清掃機構。
【請求項３】
戻り防止体を、弾性に富んだ部材で形成した請求項１又は２に記載のエアーフィルター清掃機構。
【請求項４】
塵埃収納室を少なくとも２つの第１の塵埃収納室と第２の塵埃収納室に分割して設けると共に、戻り防止体を揺動させて、前記第１の塵埃収納室内の塵埃を、前記第２の塵埃収納室に移動させるようにした請求項１〜３のいずれか１項に記載のエアーフィルター清掃機構。
【請求項５】
請求項１〜４のいずれか１項に記載のエアーフィルター清掃機構を着脱自在に備えたプロジェクター装置。
【発明の詳細な説明】
【技術分野】
【０００１】
本発明は、電子機器等に搭載されるエアーフィルター清掃機構及びそれを用いたプロジェクター装置に関するものである。
【背景技術】
【０００２】
従来のこの種のエアーフィルター清掃機構として、送り出しリールと、前記送り出しリールと間を置いて配された巻き取りリールと、一端が前記送り出しリールに係止されると共に巻かれ、他端が前記巻き取りリールに係止されたロール状のエアーフィルターと、巻き取りリールを回転駆動する駆動手段と、エアーフィルターをファンに密接すると共にエアーフィルターの張力を一定にするためのテンショナーを備え、前記エアーフィルターの前記送り出しリールと前記巻き取りリール間に位置する部分を、機器に設けられた空冷用吸気口の前に配置して、機器の運転中に、所定の時間間隔で前記駆動手段に通電して、汚れたエアーフィルターを巻き取りリールに順次巻き取るようにしたものがある（例えば、特許文献１参照）。
【０００３】
しかしながら、上記特許文献１に記載されたような従来のエアーフィルター清掃機構の構成では、エアーフィルターに付着した塵埃を除去する機構が無く、単に塵埃で目詰まりしたエアーフィルターを巻き取りリールで巻き取るだけなので、エアーフィルターが全長に渡って目詰まりしたときは、エアーフィルターを巻き取りリールごと取り外し、そのエアーフィルターを広げて掃除する必要があり、清掃作業が非常に面倒であった。また、エアーフィルターは、巻き取りリール側にのみ移動可能、すなわち一方向にしか使用できないため、長期間の使用は困難で、清掃や、交換頻度が多くなり面倒である、という問題があった。  
【０００４】
また、テンショナーが設けられているため、駆動手段の駆動トルクを大きくする必要があり、この為駆動手段の大型化、ひいては機器の大型化を招く、という問題がった。
【０００５】
そこで、上記問題を解決するために、機器に設けられた外気取り入れ口に沿って水平方向で移動可能又は、外気取り入れ口上でしかも水平方向で回転可能に配設したプレフィルターと、前記プレフィルターを移動又は回転させるための駆動メカユニットと、前記プレフィルターに摺接し、付着した粉塵を除去するブラシと、前記プレフィルターより下流側に設けられると共に、前記プレフィルターより粒子径の小さい塵埃を捕集する第２のエアーフィルターとから構成され、前記プレフィルターに一定量の粉塵が溜まっていることを、目詰まりセンサーで感知した時、あるいは所定の時間が経った時に、駆動メカユニットでプレフィルターを移動または回転させ、その間にブラシでプレフィルターに付着した埃や粉塵を除去するようにしたものがある（例えば、特許文献２参照）。
【０００６】
又、従来の他のエアーフィルター清掃機構として、第１のフィルタ部と、第１のフィルタ部の吸気側に設けられたメッシュ状のスクリーンと、このスクリーンの表面に接触しながら移動して塵埃を除去するクリーニングブラシを含む第２のフィルタ部と、上記第２のフィルタ部に設けられ塵埃を回収する塵受けトレーとから構成されたものもある（例えば、特許文献３参照）。
【先行技術文献】
【特許文献】
【０００７】
【特許文献１】特開平８−１２８４００号公報
【特許文献２】特開２００８−０６５０２１号公報
【特許文献３】特開２００５−２２１５８１号公報
【発明の概要】
【発明が解決しようとする課題】
【０００８】
しかしながら、上記特許文献２に記載されたような従来のエアーフィルター清掃機構は、水平に配したプレフィルターを上下方向でブラシで挟むようにして除塵する構成となっているため、そのエアーフィルター清掃機構を搭載した電子機器を、その側面を下にして立てて使用すると、プレフィルターから除去された塵埃が、垂直方向のプレフィルターの面に沿って、こぼれる落ち、周囲を汚したりする、といった課題があった。
【０００９】
又、上記特許文献３に記載された従来のエアーフィルター清掃機構においても、そのエアーフィルター清掃機構を搭載した機器をひっくり返して置いたり、側面を下にして立てたときに、塵受けトレー内の塵埃が、外にこぼれる落ち、周囲を汚したりするといった課題があった。
【００１０】
本発明は、上記従来の課題を解決するもので、効率よくエアーフィルターに付着した塵埃を除去すると共に、エアーフィルター機構が搭載された機器の置き方が変わっても、除去された塵埃が外に洩れ出ることの無い、信頼性の高いエアーフィルター清掃機構及びプロジェクター装置を提供することを目的とするものである。
【課題を解決するための手段】
【００１１】
上記従来の課題を解決するために、本発明のエアーフィルター清掃機構は、エアーフィルターに付着した塵埃を除去する除塵装置と、前記除塵装置を収納する除塵装置収納室とを設け、前記除塵装置により除塵された塵埃を保管する塵埃収納室を前記除塵装置収納室に隣接して設け、前記塵埃収納室に保管された塵埃が前記除塵装置収納室に戻るのを防止する戻り防止体を有するもので、戻り防止体により、塵埃収納室に収納された塵埃が、前記除塵装置収納室を介して外部に漏れることが無いので、エアーフィルター清掃機構が搭載された電子機器の置き方が変更されても、塵埃が除塵装置収納室を経て外部に出て周囲を汚したりすることが無い。
【００１２】
また、本発明のプロジェクター装置は、請求項１〜４のいずれか１項に記載のエアーフィルター清掃機構を着脱自在に備えたもので、プロジェクター装置の使用時に、塵埃が外部に漏れることを気にすることなく、好きな方向で立てることができる使用勝手の良いプロジェクター装置を提供できる。
【発明の効果】
【００１３】
本発明のエアーフィルター清掃機構は、効率よくエアーフィルターに付着した塵埃を除去することができ、また、プロジェクター装置は、その置き方が変わっても、除去された塵埃が外に洩れ出ることが無く、信頼性の高いものである。
【図面の簡単な説明】
【００１４】
【図１】（ａ）本発明の第１の実施例におけるエアーフィルター清掃機構を搭載したプロジェクター装置の外観斜視図、（ｂ）図１（ａ）のＡ−Ａ断面図
【図２】（ａ）同エアーフィルター清掃機構を内蔵した清掃ユニットの外観斜視図、（ｂ）同清掃ユニットの斜視図（蓋を開けている状態）
【図３】同エアーフィルター清掃機構の斜視図
【図４】（ａ）同エアーフィルター清掃機構の平面断面図、（ｂ）図４（ａ）のＢ−Ｂ部分断面図、（ｃ）図４（ａ）のＣ−Ｃ断面図
【図５】同エアーフィルター清掃機構の裏面図
【図６】（ａ）〜（ｄ）同エアーフィルター清掃機構の設置例を示す図
【図７】同エアーフィルター清掃機構の他の例を示す断面図
【図８】本発明の第２の実施例におけるエアーフィルター清掃機構の断面図
【図９】（ａ）本発明の第３の実施例におけるエアーフィルター清掃機構の断面図（塵埃回収時）、（ｂ）同エアーフィルター清掃機構の断面図（清掃時）
【図１０】（ａ）本発明の第４の実施例におけるエアーフィルター清掃機構の要部断面図（塵埃回収時）、（ｂ）同エアーフィルター清掃機構の要部断面図（清掃時）
【発明を実施するための形態】
【００１５】
第１の発明は、エアーフィルターに付着した塵埃を除去する除塵装置と、前記除塵装置を収納する除塵装置収納室とを設け、前記除塵装置により除塵された塵埃を保管する塵埃収納室を前記除塵装置収納室に隣接して設け、前記塵埃収納室に保管された塵埃が前記除塵装置収納室に戻るのを防止する戻り防止体を有するもので、戻り防止体により、塵埃収納室に収納された塵埃が、前記除塵装置収納室を介して外部に漏れることが無いので、エアーフィルター清掃機構が搭載された電子機器の置き方が変更されても、塵埃が除塵装置収納室を経て外部に出て周囲を汚したりすることが無い。
【００１６】
第２の発明は、特に、第１の発明の塵埃収納室を形成する壁の一部に戻り防止体を一体に形成したもので、部品点数が削減されるので、組み立て工数が減り、製造コストの低減を図ることができる。
【００１７】
第３の発明は、特に、第１又は第２の発明の戻り防止体を、弾性に富んだ部材で形成したもので、戻り防止体によって除塵装置に加わる負荷が軽くなり、除塵装置を駆動する駆動源を小型化することができる。また、万が一大きな塵埃が除塵装置で掻き取られても、戻り防止体が容易に撓むので、塵埃の塵埃収納室への移動が確実に行われる。
【００１８】
第４の発明は、特に、第１〜３のいずれか一つの発明の塵埃収納室を少なくとも２つの第１の塵埃収納室と第２の塵埃収納室に分割して設けると共に、戻り防止体を揺動させて、前記第１の塵埃収納室内の塵埃を、前記第２の塵埃収納室に移動させるようにしたもので、塵埃収納室が少なくとも２つに分割されているので、塵埃の外部への漏れをより確実に防止することができると共に、第１の塵埃収納室の塵埃を第２の塵埃収納室に移動させるための専用の部品が不要なので、組み立て工数や製造コストの上昇をおさえることができる。
【００１９】
第５の発明に係るプロジェクター装置は、請求項１〜４のいずれか１項に記載のエアーフィルター清掃機構を着脱自在に備えたもので、プロジェクター装置の使用時に、塵埃が外部に漏れることを気にすることなく、好きな方向で立てることができる使用勝手の良いプロジェクター装置を提供できる。
【００２０】
以下、本発明の実施例について、図面を参照しながら説明する。尚、この実施例によって本発明が限定されるものではない。
【実施例１】
【００２１】
図１（ａ）は、本発明の第１の実施例におけるエアーフィルター清掃機構を搭載したプロジェクター装置の外観斜視図、図１（ｂ）は、図１（ａ）のＡ−Ａ断面図、図２（ａ）は、同エアーフィルター清掃機構を内蔵した清掃ユニットの外観斜視図、図２（ｂ）は、同清掃ユニットの斜視図（蓋を開けている状態）、図３は、同エアーフィルター清掃機構の斜視図、図４（ａ）は、同エアーフィルター清掃機構の平面断面図、図４（ｂ）は、図４（ａ）のＢ−Ｂ部分断面図、図４（ｃ）は、図４（ａ）のＣ−Ｃ断面図、図５は、同エアーフィルター清掃機構の裏面図、図６は、同エアーフィルター清掃機構の設置例を示す図である。
【００２２】
図１、２において、清掃ユニット１は、プロジェクター装置２に着脱自在に装着される清掃ユニットで、内部に本実施例におけるエアーフィルター清掃機構３が組み込まれている。プロジェクター装置２の本体２ａの前部には、画像を投射する投射レンズを有する投射体１３が設けられ、本体２ａの上面には、本体２ａ内に外気を取り入れるための開口部２ｂが複数設けられている。
【００２３】
本体２ａの内部には、多数の電子部品等から成り投射体１３により投射される画像を光学的に処理する画像表示素子体４と、画像表示素子体４に電力を供給する電源基板体５と、本体２ａ内の温度や圧力等を検知するセンサー６と、プロジェクター装置２を制御する制御基板１２が設けられている。
【００２４】
本体２ａの側壁２ｃには、排気口２ｄが設けられ、更に本体２ａの内部の排気口２ｄの近傍には、モータ９で回転駆動される冷却ファン１０が設けられている。
【００２５】
本体２ａの清掃ユニット１を受ける面２ｆに開口部２ｇが形成されている。１５は、プロジェクター装置２を操作するための操作スイッチで、１６は、ＬＥＤなどから構成され、プロジェクター装置２の運転状態を表示する告知部である。
【００２６】
次に、図１〜５を用いて清掃ユニット及び本実施の形態における清掃機構３の詳細について述べる。
【００２７】
清掃ユニット１の底面には、枠体７が形成された開口１ｂが設けられ、その枠体７にエアーフィルター８が一体的に設けられ、清掃ユニット１を、プロジェクター装置２の側壁２ｃに設けた挿入口２ｅより挿入し装着すると、エアーフィルター８が、本体２ａに設けた開口部２ｇを気密に覆うようになっている。
【００２８】
本実施例におけるエアーフィルター清掃機構３（以下「清掃機構３」という）は、エアーフィルター８に着脱自在に載置され、自走しながらエアーフィルター８の表面に付着した塵埃１７を除去するものである。
【００２９】
本実施例では、清掃機構３の長さを、清掃ユニット１の開口１ｂの幅寸法よりわずかに小さい寸法に設定しているので、清掃機構３をエアーフィルター８上に載置するだけで、清掃機構３の底部の両端に設けた後述のピニオンギア２０ａが、エアーフィルター８の両端に延設されたラックギア１１に確実に噛み合うようになっている。
【００３０】
１４は、一端（図２（ｂ）では、右端）が、清掃ユニット１のユニット本体１ａに回動自在に設けられると共に中央に開口１４ａを有した蓋で、閉じると、蓋１４の裏面に設けたリブ１４ｂで、清掃機構３を摺動自在に支持すると共に、プロジェクター装置２から清掃ユニット１を取り出した時に、エアーフィルター８上に載置された清掃機構３が、ユニット本体１ａから不用意に外れるのを防止するためのものである。
【００３１】
清掃機構３には、回転ブラシ状で、一端にギアＡ１９ａを備えエアーフィルター８に付着した塵埃１７を除去する除塵装置１９と、両端にラックギア１１と噛み合うピニオンギア２０ａを有し、一側に、ギアＡ１９ａと噛み合うギアＢ２０ｂと傘歯車Ａ２０ｃを有する移動用軸２０と、モータなどからなりその回転軸２１ａに、傘歯車Ａ２０ｃに噛み合う傘歯車Ｂ２１ｂを有する駆動手段２１と、駆動手段２１の電源となるバッテリー２２が内蔵されている。
【００３２】
清掃機構３の内部は、大きく、除塵装置１９が収納された除塵装置収納室２３と、除塵装置収納室２３に隣接すると共に除塵装置１９で除去された塵埃１７を収納保管する塵埃収納室２４とに二分されている。除塵装置収納室２３と塵埃収納室２４との境には、除塵装置１９の回転方向に沿うように傾斜すると共に先端が除塵装置１９に摺接し、塵埃収納室２４に収納保管された塵埃１７が除塵装置収納室２３に戻るのを防止する戻り防止体２５が、除塵装置１９と平行に延設されている。本実施例では、戻り防止体２５は、清掃機構３の内壁に一体に形成されている。
【００３３】
清掃機構３の裏面には、塵埃収納室２４を自在に開閉する蓋体２７と、除塵装置１９が臨む開口３ａが設けられている。
【００３４】
また、本実施例では、蓋体２７に、先端が櫛歯状で、かつ除塵装置１９に食い込み、除塵装置１９に絡みついた塵埃１７を除去するための櫛歯２６が、除塵装置１９と平行に、一体的に形成されている。
【００３５】
２９は、清掃機構３の裏面の、それぞれのピニオンギア２０ａと反対側に回転自在に設けられた自由歯車で、ピニオンギア２０ａと同一高さに位置し、清掃機構３の移動時にラックギア１１に噛み合って、清掃機構３がスムーズに移動することができるようにするためのものである。
【００３６】
以上のように構成された本実施例におけるエアーフィルター清掃機構と、それを搭載したプロジェクター装置の動作、作用は、以下の通りである。
【００３７】
操作スイッチ１５を操作することにより、プロジェクター装置２を使用することができる。本実施例におけるプロジェクター装置２は、一般的に、図６（ａ）に示すように開口部２ｂが上を向くようにして、机やテーブルの上に置かれるが、図６（ｂ）に示すようにプロジェクター装置２を天井からつるして床面に投射するようにしたり、図６（ｃ）に示すように、プロジェクター装置２の投射体１３と反対側の面を下にして机、テーブル或いは床において、天井などに投射したり、更には、図６（ｄ）に示すように、本体２ａをひっくり返して使用しても良い。
【００３８】
プロジェクター装置２を運転している間、あるいは、使用直後の所定の冷却期間の間は、モータ９で回転駆動される冷却ファン１０により、外気が、本体２ａの開口部２ｂ、清掃機構３の開口１４ａ、清掃ユニット１の開口１ｂに設けたエアーフィルター８を順に通って、本体２ａ内に吸引され、画像表示素子体４や電源基板体５、制御基板１２などの発熱部品を冷却し、排気口２ｄより外部に排出される。
【００３９】
外気が、エアーフィルター８を通過するときに、その外気に含まれた塵埃は、エアーフィルター８で捕集されるので、塵埃が本体２ａ内に入ることは無い。
【００４０】
このようにして、プロジェクター装置２を長期間使用していると、エアーフィルター８が次第に塵埃で目詰まりし、外気が本体２ａ内に入り難くなって、本体２ａ内の発熱部品の冷却効果が低下してくるが、本実施例では、本体２ａ内の温度や圧力を検知するセンサー６を設けて、空気の流れが悪くなって本体２ａ内の温度が所定の温度を超えたり、空気が本体２ａ内に入り難くなって、本体２ａ内の空気圧力が所定の値以下になったことを検知すると、制御基板１２より信号が発信され、その信号を清掃機構３に内蔵された受信機（図示せず）が受信すると、駆動手段２１が動作するようになっている。
【００４１】
駆動手段２１が動作すると、その動力が傘歯車Ｂ２１ｂを経て傘歯車Ａ２０ｃに伝達され、移動用軸２０と共に、ラックギア１１に噛み合ったピニオンギア２０ａが回転し、清掃機構３が、図２中の白抜き矢印方向に移動し始める。同時に、動力が、ギアＢ２０ｂを介してギアＡ１９ａに伝わり、除塵装置１９が回転する。除塵装置１９が回転すると、エアーフィルター８に付着した塵埃１７が掻き上げられ、掻き上げられた塵埃１７は、除塵装置収納室２３を通って、塵埃収納室２４に送られる。又、除塵装置１９に絡みついた塵埃１７は、櫛歯２６により梳きとられる。
【００４２】
塵埃収納室２４に溜まった塵埃１７を廃棄するときは、プロジェクター装置２の挿入口２ｅより清掃ユニット１を取り出し、蓋１４を開けて、清掃機構３を取り出し、その底部に設けた蓋体２７を開けるだけで簡単に済ませることができる。
【００４３】
特に、本実施例では、先端が除塵装置１９に摺接する戻り防止体２５を設けているので、プロジェクター装置２の使用時の向きがどのようになっても、塵埃収納室２４に一旦入った塵埃１７が、除塵装置収納室２３に戻り、開口３ａから外部に漏れ出て、塵埃１７がエアーフィルター８に再付着したり、プロジェクター装置２内部にこぼれたり、テーブルなどを汚すことが無い。
【００４４】
また、本実施例では、戻り防止体２５が、清掃機構３の内壁に一体に形成されているので、部品点数が削減され、組み立て工数も減り、製造コストの低減を図ることができる。
【００４５】
なお、上記実施例では、戻り防止体２５を清掃機構３の内壁に一体に形成したが、図７に示すように、戻り防止体３０を、清掃機構３の内壁に取り付けられる別部品とし、それを、弾性に富んだ材料でブレード状或いはリップ状に形成したり、弾性に富んだシート部材、発泡体あるいは布部材で形成するようにすれば、万が一大きな塵埃１７が除塵装置１９で掻き取られても、戻り防止体３０が容易に撓むので、塵埃１７の塵埃収納室２４への移動が確実に行われる。また、戻り防止体３０が容易に撓みやすいので、戻り防止体３０が除塵装置１９に摺接していても、除塵装置１９に加わる負荷が軽減され、除塵装置１９を駆動する駆動手段２１の小型化を図ることもできる。
【００４６】
又、上記実施例では、除塵装置１９に絡みついた塵埃１７を梳く櫛歯２６を清掃機構３の蓋体２７に一体で形成しているので、部品点数、組み立て工数が低減し安価に構成することができ、また、蓋体２７を開けたときに、櫛歯２６の汚れやすい先端部分が外部に露出するので、その部分の清掃も容易となる。
【００４７】
なお、上記実施例では、清掃機構３が動作するタイミングとして、センサー６が、本体２ａ内の温度が高かったり、圧力が低下したときに動作するようにしたが、プロジェクター装置２の所定の累積使用時間毎に、或いは、プロジェクター装置２の電源をＯＦＦする都度、清掃機構３を自動的に動作させるようにしても良い。
【００４８】
上記実施例では、エアーフィルター8を清掃ユニット１の底面に設けた開口１ｂに形成したが、プロジェクター装置２の本体２ａ側に設けても良い。この場合は、開口１ｂを全開口とし、清掃機構３は、開口１ｂを移動しながら、本体２ａに設けたエアーフィルター8を清掃することになる。
【実施例２】
【００４９】
図８は、本発明の第２の実施例におけるエアーフィルター清掃機構の断面図である。なお、上記第１の実施例におけるエアーフィルター清掃機構、プロジェクター装置と同一部品には、同一符号を付してその説明を省略する。
【００５０】
図８において、本実施例におけるエアーフィルター清掃機構３３（以下「清掃機構３３」と称す）は、塵埃収納室２４を、第１の塵埃収納室２４ａと第２の塵埃収納室２４ｂに分割し、塵埃収納室２４に保管された塵埃１７が除塵装置収納室２３に戻るのを防止する戻り防止体３４を回動自在に設け、戻り防止体３４の回動時に、第１の塵埃収納室２４ａに収納された塵埃１７を、第２の塵埃収納室２４ｂに送り出すようにしたものである。本実施例では、第１の塵埃収納室２４ａと第２の塵埃収納室２４ｂとを、櫛歯３５で区画し、第１の塵埃収納室２４ａを櫛歯３５の上側に形成している。
【００５１】
以上のように構成された本実施例における清掃機構３３の動作、作用は以下の通りである。
【００５２】
通常は、戻り防止体３４の先端は、実線で示すように、除塵装置１９に摺接しており、除塵装置１９の回転に伴い、エアーフィルター８から除去された塵埃１７は第１の塵埃収納室２４ａに溜まる。そして図示しない駆動手段で、戻り防止体３４を間欠的に回動（図８では、反時計方向に回動）、すなわち戻り防止体３４を揺動させて、第１の塵埃収納室２４ａに溜まった塵埃１７を、第２の塵埃収納室２４ｂに送るようにしたものである。
【００５３】
以上のように本実施例によれば、塵埃収納室２４が２つに分割されているので、塵埃１７の外部への漏れをより確実に防止することができると共に、第１の塵埃収納室２４ａの塵埃１７を第２の塵埃収納室２４ｂに移動させるための専用の部品が不要なので、組み立て工数や製造コストが上昇することもない。
【実施例３】
【００５４】
図９は、本発明の第３の実施例におけるエアーフィルター清掃機構の断面図である。なお、上記実施例におけるエアーフィルター清掃機構と同一部品には、同一符号を付してその説明を省略する。
【００５５】
上記第１、第２の実施例では、除塵装置として、回転ブラシを用いたが、本実施例は、所定の角度範囲内で回動する除塵装置を用いたものである。
【００５６】
図９において、本実施例におけるエアーフィルター清掃機構３７（以下「清掃機構３７」には、上部が、本体３７ａに回動自在に軸支された除塵装置３８が設けられている。除塵装置３８の底面の塵埃収納室２４側には、所定幅のブラシ部材Ａ３８ａが長手方向に貼着され、除塵装置３８の底面の塵埃収納室２４と反対側の端部には、エアーフィルター８に接するブレード３８ｂが設けられている。
【００５７】
塵埃収納室２４に入った塵埃１７が除塵装置収納室２３に戻るのを防止する戻り防止体３９は、本体３７ａの内壁に一体的に形成されると共に、除塵装置３８の塵埃収納室２４側への回動範囲を規制する第１のストッパー３９ａを備えている。また、本体３７ａの除塵装置収納室２３には、除塵装置３８の塵埃収納室２４と反対側方向への回動範囲を規制する第２のストッパー３７ｂが設けられている。
【００５８】
塵埃収納室２４を開閉自在に覆う蓋体４０の除塵装置３８側端部には、除塵装置３８の回動時に、除塵装置３８のブラシ部材Ａ３８ａに摺接するブラシ部材Ｂ４０ａが貼着されている。ブラシ部材Ａ３８ａ、ブラシ部材Ｂ４０ａのいずれも多数の樹脂繊維から構成されているが、特に、ブラシ部材Ｂ４０ａの樹脂繊維は、斜め上方に傾いている。
【００５９】
以上のように構成された本実施例における清掃機構３７の動作、作用を以下に説明する。
【００６０】
駆動手段２１を動作させて、エアーフィルター８上で清掃機構３７を左方向に移動させると、図９（ｂ）に示すように、ブレード３８ｂが右側に移動するので、除塵装置３８が反時計方向に回動してブラシ部材Ａ３８ａが露出しエアーフィルター８上の塵埃１７を捕捉する。次に、駆動手段２１を動作させて、清掃機構３７を右方向に移動させると、図９（ａ）に示すように、ブレード３８ｂが左側に移動し、除塵装置３８が時計方向に回動し、ブラシ部材Ａ３８ａがブラシ部材Ｂ４０ａに摺接し、ブラシ部材Ａ３８ａで捕捉された塵埃１７が、ブラシ部材Ｂ４０ａでこそぎとられると共に、塵埃収納室２４に落下する。
【００６１】
以上のように、本実施例によると、除塵装置３８は、清掃機構３７の前後の移動に伴い回動するだけなので、それを回動させるための動力源が不要で、駆動手段２１は、単に清掃機構３７を移動させるだけのものになり、清掃機構３７の構成が簡素化されると共に軽量化、小型化が図れる。
【実施例４】
【００６２】
図１０は、本発明の第４の実施例におけるエアーフィルター清掃機構の要部断面図である。本実施例におけるエアーフィルター清掃機構４１（以下「清掃機構４１」という）は、塵埃収納室２４に入った塵埃１７が除塵装置収納室２３に戻るのを防止する戻り防止体４２を、弾性に富んだ材料で形成し、清掃機構４１の本体４１ａの内壁に取り付けたもので、他の構成、作用は上記第２の実施例と同じなので、同一部品には、同一符号を付してその説明を省略する。
【００６３】
本実施例では、戻り防止体４２が弾性に富んだ材料で形成されているので、清掃機構４１が右方向に移動し、図１０（ａ）に示すように、除塵装置３８の端部が、戻り防止体４２に設けた第１のストッパー４２ａに当接すると、戻り防止体４２が塵埃収納室２４側に大きく撓んで開くので、除塵装置３８で捕捉した塵埃１７を確実に塵埃収納室２４に送ることができる。そして、図１０（ｂ）に示すように、清掃機構４１が、左方向に移動し、除塵装置３８が、右方向に回動し、第２のストッパー４１ｂに当接すると、戻り防止体４２は、弾性力で元の位置、すなわち、ブラシ部材Ｂ４０ａに近接する位置まで戻り、塵埃収納室２４内に溜まった塵埃１７が洩れるのを確実に防止することができる。
【産業上の利用可能性】
【００６４】
以上のように、本発明に係るエアーフィルター清掃機構及びプロジェクター装置は、効率よくエアーフィルターに付着した塵埃を除去すると共に、プロジェクター装置の置き方が変わっても、除去された塵埃が外に洩れ出ることが無く、信頼性の高いもので、塵埃を捕捉するエアーフィルターを有する各種機器に広く利用できるものである。
【符号の説明】
【００６５】
１ａ  開口
２  プロジェクター装置
３、３３、３７、４１  エアーフィルター清掃機構（清掃機構）
８  エアーフィルター
１７  塵埃
１９、３８  除塵装置
２３  除塵装置収納室
２４  塵埃収納室
２５、３０、３４、３９、４２  戻り防止体
【図１】
2011092874.tif 000003
【図２】
2011092874.tif 000004
【図３】
2011092874.tif 000005
【図４】
2011092874.tif 000006
【図５】
2011092874.tif 000007
【図６】
2011092874.tif 000008
【図７】
2011092874.tif 000009
【図８】
2011092874.tif 000010
【図９】
2011092874.tif 000011
【図１０】
2011092874.tif 000012